(57)【要約】      （修正有）【課題】ぬいぐるみ玩具を人の体の一部に保持させた場合、廻りから見たぬいぐるみ玩具の前部が見える状態になるようなぬいぐるみ玩具を提供することである。【解決手段】ぬいぐるみ９９の背部に板状バネ体Ｓを取付けたぬいぐるみ玩具において、板状バネ体Ｓは、湾曲した形状をした横断面形状の板状バネ鋼板で構成されてなり、板状バネ体Ｓを伸ばして丸めることによって人の腕に巻きつかせて、廻りＣから見た場合ぬいぐるみ９９の顔ｆが見える状態になることを特徴とする。【選択図】図８
0003203900.tif 000002
【実用新案登録請求の範囲】
【請求項１】
ぬいぐるみ９９の背部ｂに板状バネ体Ｓを取付けたぬいぐるみ玩具において、板状バネ体Ｓは、湾曲した形状をした横断面形状の板状バネ鋼板ｓｐで構成されてなり、板状バネ体Ｓを伸ばして丸めることによって人の腕ａに巻きつかせて、廻りＣから見た場合ぬいぐるみ９９の顔ｆが見える状態になることを特徴とするぬいぐるみ玩具１００。
【請求項２】
上記板状バネ体Ｓが、湾曲した形状をした横断面形状の板状バネ鋼板ｓｐを布地縫製加工してなることを特徴とする請求項１に記載されたぬいぐるみ玩具１００。
【請求項３】
上記板状バネ体Ｓを伸ばした場合、丸める方向に残留応力が作用してなることを特徴とする請求項１〜２の何れかに記載されたぬいぐるみ玩具１００。
【請求項４】
湾曲した形状をした横断面形状が、円弧形状又はくの字形状であることを特徴とする請求項１〜３の何れかに記載されたぬいぐるみ玩具１００。
【請求項５】
板状バネ体Ｓをぬいぐるみ９９の背部ｂに板状バネ体Ｓを取付けることを特徴とする請求項１〜４の何れかに記載されたぬいぐるみ玩具１００。
【考案の詳細な説明】
【技術分野】
【０００１】
本考案は、ぬいぐるみ玩具に関する。
【背景技術】
【０００２】
従来のぬいぐるみ玩具については、ぬいぐるみ玩具を持ち運ぶときは、人が手でぬいぐるみ玩具を保持する必要があり、手が塞がって他の作業をすることができず、不便であるという従来技術の欠点が指摘されていた。
【０００３】
考案者は、かかる従来技術の欠点に鑑み鋭意研究した結果、本願考案を完成させた。
【先行技術文献】
【特許文献】
【０００４】
本願考案に係るぬいぐるみ玩具について、ＦＩ、キーワード検索を行ったところ、本件考案（請求項１〜５に記載された考案）に近い考案等記載文献は、発見されませんでしたので、特許文献の記載は省略する。
【考案の概要】
【考案が解決しようとする課題】
【０００５】
○本考案が解決しようとする第１課題
本考案が解決しようとする第１課題は、
ぬいぐるみ玩具を人の体の一部に保持させた場合、廻りから見た場合ぬいぐるみ玩具の前部が見える状態になるようなぬいぐるみ玩具を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○ぬいぐるみ９９とは、芯にする物を布等で包んで縫い合わせて、人や動物等の形に作ったものをいう。人や動物の形の他、花、植物、怪獣、キャラクタ等の形も含む。
○背部ｂとは、ぬいぐるみ９９の背中の部分をいう。
○板状バネ体Ｓとは、湾曲した形状をした横断面形状の板状バネ鋼板ｓｐから構成されてなる。
板状バネ体Ｓとは、他の実施例では、湾曲した形状をした横断面形状の板状バネ鋼板ｓｐを布地縫製加工してなるバネ体をいう。
○ぬいぐるみ玩具１００とは、ぬいぐるみ９９の背部ｂに板状バネ体Ｓを取付けた玩具をいう。ぬいぐるみ玩具１００が、ぬいぐるみ９９と板状バネ体Ｓとから構成されている。
○湾曲した形状とは、弓形に曲がった形状をいう。
具体的に言えば、湾曲した形状とは、板状バネ鋼板ｓｐの横断面（左側面図又は右側面図）の形状が弓形に曲がった形状をいう。
本願考案にあっては、湾曲した形状として、円弧形状との字形状が例示される。
○横断面形状とは、細長い板状バネ鋼板ｓｐについて、その長さ方向に対し垂直な断面の形状をいう。
○板状バネ鋼板ｓｐとは、湾曲した形状をした横断面形状の鋼板であって、当該板状鋼板ｓｐを伸ばして丸めることによって人の腕ａに巻きつかせる鋼板である。
板状バネ鋼板ｓｐは、丸まった状態では残留応力が０の状態であり、当該板状鋼板ｓｐを伸ばした状態では残留応力が作用している。
○伸ばして丸めることとは、板状バネ体Ｓの両端を手で摘まんで伸ばして、板状バネ体Ｓの２つの中間部を摘んで横断面をフラットにすることによって板状バネ体Ｓの残留応力を利用して丸めることによって人の腕ａに巻きつかせて、廻りＣから見た場合ぬいぐるみ９９の顔ｆが見える状態にすることをいう。
○廻りＣとは、板状バネ体Ｓを伸ばして丸めることによって人の腕ａにぬいぐるみ玩具１００を巻きつかせた場合、ぬいぐるみ玩具１００が巻きついた人の廻りの意味である。
○顔ｆとは、ぬいぐるみ９９の顔の意味合いであり、花、植物等のぬいぐるみにあっては、最も目立つ特徴的な部分をいう。
○布地縫製加工してなることとは、板状バネ鋼板ｓｐの周囲を布地で袋状に縫製してなることをいう。
○板状バネ体Ｓを伸ばした場合とは、板状バネ体Ｓの両端を手で摘まんで伸ばした状態をいう。
○丸める方向に残留応力が作用してなることとは、板状バネ体Ｓの両端を手で摘まんで伸ばすことによって、残留応力が作用し、残留応力は、手を放すと丸まる方向に作用する。
○円弧形状とは、円周の一部の形状の意味である。
○くの字形状とは、板状バネ鋼板ｓｐの横断面が平仮名の「く」の字の形状の意味である。すなわち、板状バネ鋼板ｓｐの左側面図又は右側面図において、平仮名の「く」の字の形状が示されることの意味である。
本願考案に係る板状バネ鋼板ｓｐは、図９（Ｃ）では、逆くの字形状（くの字図形を左右反転した図形）が記載されている。本願考案に係る板状バネ鋼板ｓｐの左側面図は省略しているが、左側面図には、くの字形状が示される。
なお、本願考案に係る板状バネ鋼板ｓｐは、図９（Ｃ）では、逆くの字形状（くの字図形を左右反転した図形）が記載されているが、くの字形状が記載されている場合も、「くの字形状」の語の意味に含まれる。
○残留応力とは、板状バネ鋼板ｓｐを丸まった状態から伸ばした状態にした場合、外力（人の手による引っ張り力）を除去した後でも板状バネ鋼板ｓｐ内に存在する応力のことをいう。
そして、当該残留応力によるモーメントがＭｔとなる。モーメントがＭｔは、湾曲した形状をした横断面形状の剛性によって横断面形状を保持している。
図１０の板状バネ鋼板ｓｐのＰｂ部を手の指で押さえて、板状バネ鋼板ｓｐの横断面形状を、図９（Ｃ）図のくの字形状（逆くの字形状）から、フラットな断面形状に移行すると、横断面形状の剛性が急減して、横断面形状を保持することができず、板状バネ鋼板ｓｐは、外力を加えなくても、残留応力によって丸まって人の腕に巻き付く。
＜本願考案に係る、ぬいぐるみ玩具１００の装着方法＞
●ステップ１
人の手により、板状バネ体Ｓが丸まった状態のぬいぐるみ玩具１００（図５）を、板状バネ体Ｓを伸ばした状態にする。
●ステップ２
人の手により、板状バネ体ＳのＰｂ部を摘んで、板状バネ鋼板ｓｐの横断面形状を湾曲した形状からフラットな断面形状にする（図９、図１０）。
●ステップ３
板状バネ鋼板ｓｐの横断面形状を湾曲した形状からフラットな断面形状になった瞬間、板状バネ鋼板ｓｐは、外力を加えなくても、残留応力によって丸まって人の腕に巻き付く（図８）。
＜記号の説明＞
Ｍｔ……板状バネ体Ｓを伸ばした状態において残留応力による板状バネ鋼板に作用するモーメント（作用するモーメントの方向は図９、図１０に記載の通りである。）
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
ぬいぐるみ９９の背部ｂに板状バネ体Ｓを取付けたぬいぐるみ玩具１００において、板状バネ体Ｓは、湾曲した形状をした横断面形状の板状バネ鋼板ｓｐで構成されてなり、板状バネ体Ｓを伸ばして丸めることによって人の腕ａに巻きつかせて、廻りＣから見た場合ぬいぐるみ玩具１００の顔ｆが見える状態になることを特徴とするぬいぐるみ玩具１００である。
○第２の考案（請求項２に記載の考案）
上記の課題を解決するための第２の考案（請求項２に記載の考案）は、
上記板状バネ体Ｓが、湾曲した形状をした横断面形状の板状バネ鋼板ｓｐを布地縫製加工してなることを特徴とする請求項１に記載されたぬいぐるみ玩具１００である。
○第３の考案（請求項３に記載の考案）
上記の課題を解決するための第３の考案（請求項３に記載の考案）は、
上記板状バネ体Ｓを伸ばした場合、丸める方向に残留応力が作用してなることを特徴とする請求項１〜２の何れかに記載されたぬいぐるみ玩具１００である。
○第４の考案（請求項４に記載の考案）
上記の課題を解決するための第４の考案（請求項４に記載の考案）は、
湾曲した形状をした横断面形状が、円弧形状又はくの字形状であることを特徴とする請求項１〜３の何れかに記載されたぬいぐるみ玩具１００である。
○第５の考案（請求項５に記載の考案）
上記の課題を解決するための第５の考案（請求項５に記載の考案）は、
板状バネ体Ｓをぬいぐるみ９９の背部ｂに板状バネ体Ｓを取付けることを特徴とする請求項１〜４の何れかに記載されたぬいぐるみ玩具１００である。
【考案の効果】
【０００７】
本考案に係る、ぬいぐるみ玩具１００は、上記のような特徴的構成要件から構成され、特徴的構成要件に応じた、以下のような本願考案特有の効果を奏する。
また、上記の各考案に応じた、上記のような特徴的構成要件から構成されたぬいぐるみ玩具１００によれば、本願考案の課題を十分解消することができた。
○第１の考案の効果
第１の考案によれば、
ぬいぐるみ９９の背部ｂに板状バネ体Ｓを取付けたぬいぐるみ玩具１００において、板状バネ体Ｓは、湾曲した形状をした横断面形状の板状バネ鋼板ｓｐで構成されてなり、板状バネ体Ｓを伸ばして丸めることによって人の腕ａに巻きつかせて、廻りＣから見た場合ぬいぐるみ９９の顔ｆが見える状態になることという特徴的な構成要件により、本考案が解決しようとする第１課題〜第５課題を達成することができ、当業者予測不可能な顕著な効果を奏することができた。
○第２の考案の効果
第２の考案によれば、
上記板状バネ体Ｓが、湾曲した形状をした横断面形状の板状バネ鋼板ｓｐを布地縫製加工してなることという特徴的な構成要件により、本考案が解決しようとする第１課題〜第５課題を達成することができ、当業者予測不可能な顕著な効果を奏することができた。
○第３の考案の効果
第３の考案によれば、
上記板状バネ体Ｓを伸ばした場合、丸める方向に残留応力が作用してなることという特徴的な構成要件により、本考案が解決しようとする第１課題〜第５課題を達成することができ、当業者予測不可能な顕著な効果を奏することができた。
○第４の考案の効果
第４の考案によれば、
湾曲した形状をした横断面形状が、円弧形状又はくの字形状であることという特徴的な構成要件により、本考案が解決しようとする第１課題〜第５課題を達成することができ、当業者予測不可能な顕著な効果を奏することができた。
○第５の考案の効果
第５の考案によれば、
板状バネ体Ｓをぬいぐるみ９９の背部ｂに板状バネ体Ｓを取付けることという特徴的な構成要件により、本考案が解決しようとする第１課題〜第５課題を達成することができ、当業者予測不可能な顕著な効果を奏することができた。
【考案を実施するための最良の形態】
【０００８】
以下、本考案に係る、ぬいぐるみ玩具１００に関する最良の実施形態について、図面を参照しながら説明する。
図１は、本考案に係る、ぬいぐるみ玩具１００（板状バネ体Ｓを伸ばした状態の）の正面図である。
図２は、本考案に係る、ぬいぐるみ玩具１００（板状バネ体Ｓを伸ばした状態の）の背面図である。
図３は、本考案に係る、ぬいぐるみ玩具１００（板状バネ体Ｓを伸ばした状態の）の平面図である。
図４は、本考案に係る、ぬいぐるみ玩具１００（板状バネ体Ｓを伸ばした状態の）の右側面図である。
図５は、本考案に係る、ぬいぐるみ玩具１００（板状バネ体Ｓが丸まった状態での）平面図である。
図６は、本考案に係る、ぬいぐるみ玩具１００（板状バネ体Ｓを伸ばした状態から丸まった状態への移行させる状態での）の平面図である。
図７は、本考案に係る、ぬいぐるみ玩具１００（板状バネ体Ｓが丸まった状態で人の腕に巻き付く状態を示すための）の平面図である。
図８は、本考案に係る、ぬいぐるみ玩具１００（板状バネ体Ｓが丸まった状態で人の腕に巻き付けた状態を示すための）の平面図である。
図９は、板状バネ鋼板ｓｐを伸ばした状態の図面である。（Ａ）図は、板状バネ鋼板ｓｐを伸ばした状態の平面面であり、（Ｂ）図は、板状バネ鋼板ｓｐを伸ばした状態の正面面であり、（Ｃ）図は、板状バネ鋼板ｓｐを伸ばした状態の右側面図である。
図１０は、板状バネ鋼板ｓｐを伸ばした状態から丸まった状態へ移行する状態の図面である。（Ａ）図は、板状バネ鋼板ｓｐを伸ばした状態から丸まった状態へ移行する状態の平面面であり、（Ｂ）図は、板状バネ鋼板ｓｐを伸ばした状態から丸まった状態へ移行する状態の正面面であり、（Ｃ）図は、板状バネ鋼板ｓｐを伸ばした状態から丸まった状態へ移行する状態の右側面図である。
以下、本考案に係る、ぬいぐるみ玩具１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のぬいぐるみ玩具１００において、
ぬいぐるみ９９の背部ｂに板状バネ体Ｓを取付けたぬいぐるみ玩具１００において、板状バネ体Ｓは、湾曲した形状をした横断面形状の板状バネ鋼板ｓｐで構成されてなり、板状バネ体Ｓを伸ばして丸めることによって人の腕ａに巻きつかせて、廻りＣから見た場合ぬいぐるみ９９の顔ｆが見える状態になることを特徴とするぬいぐるみ玩具１００が開示されている。
○第１の考案の効果
第１の考案によれば、
ぬいぐるみ９９の背部ｂに板状バネ体Ｓを取付けたぬいぐるみ玩具１００において、板状バネ体Ｓは、湾曲した形状をした横断面形状の板状バネ鋼板ｓｐで構成されてなり、板状バネ体Ｓを伸ばして丸めることによって人の腕ａに巻きつかせて、廻りＣから見た場合ぬいぐるみ９９の顔ｆが見える状態になることという特徴的な構成要件により、本考案が解決しようとする第１課題〜第５課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のぬいぐるみ玩具１００において、
上記板状バネ体Ｓが、湾曲した形状をした横断面形状の板状バネ鋼板ｓｐを布地縫製加工してなることを特徴とする請求項１に記載されたぬいぐるみ玩具１００が開示されている。
○第２の考案の効果
第２の考案によれば、
上記板状バネ体Ｓが、湾曲した形状をした横断面形状の板状バネ鋼板ｓｐを布地縫製加工してなることという特徴的な構成要件により、本考案が解決しようとする第１課題〜第５課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のぬいぐるみ玩具１００において、
上記板状バネ体Ｓを伸ばした場合、丸める方向に残留応力が作用してなることを特徴とする請求項１〜２の何れかに記載されたぬいぐるみ玩具１００が開示されている。
○第３の考案の効果
第３の考案によれば、
上記板状バネ体Ｓを伸ばした場合、丸める方向に残留応力が作用してなることという特徴的な構成要件により、本考案が解決しようとする第１課題〜第５課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のぬいぐるみ玩具１００において、
湾曲した形状をした横断面形状が、円弧形状又はくの字形状であることを特徴とする請求項１〜３の何れかに記載されたぬいぐるみ玩具１００が開示されている。
○第４の考案の効果
第４の考案によれば、
湾曲した形状をした横断面形状が、円弧形状又はくの字形状であることという特徴的な構成要件により、本考案が解決しようとする第１課題〜第５課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のぬいぐるみ玩具１００において、
板状バネ体Ｓをぬいぐるみ９９の背部ｂに板状バネ体Ｓを取付けることを特徴とする請求項１〜４の何れかに記載されたぬいぐるみ玩具１００が開示されている。
○第５の考案の効果  第５の考案によれば、
板状バネ体Ｓをぬいぐるみ９９の背部ｂに板状バネ体Ｓを取付けることという特徴的な構成要件により、本考案が解決しようとする第１課題〜第５課題を達成することができ、当業者予測不可能な顕著な効果を奏することができた。
【図面の簡単な説明】
【０００９】
【図１】図１は、本考案に係る、ぬいぐるみ玩具１００（板状バネ体Ｓを伸ばした状態の）の正面図である。
【図２】図２は、本考案に係る、ぬいぐるみ玩具１００（板状バネ体Ｓを伸ばした状態の）の背面図である。
【図３】図３は、本考案に係る、ぬいぐるみ玩具１００（板状バネ体Ｓを伸ばした状態の）の平面図である。
【図４】図４は、本考案に係る、ぬいぐるみ玩具１００（板状バネ体Ｓを伸ばした状態の）の右側面図である。
【図５】図５は、本考案に係る、ぬいぐるみ玩具１００（板状バネ体Ｓが丸まった状態での）の平面図である。
【図６】図６は、本考案に係る、ぬいぐるみ玩具１００（板状バネ体Ｓを伸ばした状態から丸まった状態への移行させる状態での）の平面図である。
【図７】図７は、本考案に係る、ぬいぐるみ玩具１００（板状バネ体Ｓが丸まった状態で人の腕に巻き付く状態を示すための）の平面図である。
【図８】図７は、本考案に係る、ぬいぐるみ玩具１００（板状バネ体Ｓが丸まった状態で人の腕に巻き付けた状態を示すための）の平面図である。
【図９】図９は、板状バネ鋼板ｓｐを伸ばした状態の図面である。（Ａ）図は、板状バネ鋼板ｓｐを伸ばした状態の平面面であり、（Ｂ）図は、板状バネ鋼板ｓｐを伸ばした状態の正面面であり、（Ｃ）図は、板状バネ鋼板ｓｐを伸ばした状態の右側面図である。
【図１０】図１０は、板状バネ鋼板ｓｐを伸ばした状態から丸まった状態へ移行する状態の図面である。（Ａ）図は、板状バネ鋼板ｓｐを伸ばした状態から丸まった状態へ移行する状態の平面面であり、（Ｂ）図は、板状バネ鋼板ｓｐを伸ばした状態から丸まった状態へ移行する状態の正面面であり、（Ｃ）図は、板状バネ鋼板ｓｐを伸ばした状態から丸まった状態へ移行する状態の右側面図である。
【符号の説明】
【００１０】
９９……ぬいぐるみ
ｂ……背部
Ｓ……板状バネ体
１００……ぬいぐるみ玩具
ｓｐ……板状バネ鋼板
Ｃ……廻り
ｆ……顔
Ｍｔ……板状バネ体Ｓを伸ばした状態において残留応力による板状バネ鋼板に作用するモーメント（作用するモーメントの方向は図９、図１０に記載の通りである。）
【図１】
0003203900.tif 000003
【図２】
0003203900.tif 000004
【図３】
0003203900.tif 000005
【図４】
0003203900.tif 000006
【図５】
0003203900.tif 000007
【図６】
0003203900.tif 000008
【図７】
0003203900.tif 000009
【図８】
0003203900.tif 000010
【図９】
0003203900.tif 000011
【図１０】
0003203900.tif 000012